(57)【特許請求の範囲】
【請求項１】
商品収納庫内を冷却する冷却用温度調節器と、商品収納庫内を加熱するヒータと、冷却用温度調節器によって冷却された空気又はヒータによって加熱された空気を商品収納庫内に循環させる送風機と、商品収納庫内を複数の商品収納庫に分割する可動仕切壁とを備え、可動仕切壁を移動することにより各商品収納庫の庫内容積を変更可能に構成した自動販売機において、
前記ヒータへの通電時間を設定するタイマーと、
可動仕切壁によって加熱用の商品収納庫の庫内容積が小さく変更されたときはタイマーによるヒータへの通電時間を短く設定し、庫内容積が大きく変更されたときは前記通電時間を長く設定する制御手段とを備えた
ことを特徴とする自動販売機。
【請求項２】
商品収納庫内を冷却する冷却用温度調節器と、商品収納庫内を加熱するヒータと、冷却用温度調節器によって冷却された空気又はヒータによって加熱された空気を商品収納庫内に循環させる送風機と、商品収納庫内を複数の商品収納庫に分割する可動仕切壁とを備え、可動仕切壁を移動することにより各商品収納庫の庫内容積を変更可能に構成した自動販売機において、
前記ヒータへの通電量を減少させる半波整流回路と、
可動仕切壁によって加熱用の商品収納庫の庫内容積が小さく変更されたときは半波整流回路によりヒータへの通電量が少なくなるように設定し、庫内容積が大きく変更されたときは半波整流回路を用いずに前記通電量が多くなるように設定する制御手段とを備えた
ことを特徴とする自動販売機。
【請求項３】
商品収納庫内を冷却する冷却用温度調節器と、商品収納庫内を加熱するヒータと、冷却用温度調節器によって冷却された空気又はヒータによって加熱された空気を商品収納庫内に循環させる送風機と、商品収納庫内を複数の商品収納庫に分割する可動仕切壁とを備え、可動仕切壁を移動することにより各商品収納庫の庫内容積を変更可能に構成した自動販売機において、
前記可動仕切壁によって加熱用の商品収納庫の庫内容積が小さく変更されたときは送風機の回転数を低速に設定し、庫内容積が大きく変更されたときは前記回転数を高速に設定する制御手段とを備えた
ことを特徴とする自動販売機。
【発明の詳細な説明】
【０００１】
【産業上の利用分野】
本発明は、缶入り飲料等の商品を所定温度まで冷却、あるいは加熱して販売する自動販売機に関するものである。
【０００２】
【従来の技術】
商品を冷却あるいは加熱して販売する自動販売機としては、自動販売機本体内に、断熱仕切壁によって区画された複数の商品収納庫を設け、商品冷却用の収納庫内には、商品収納用のコラムと温度調節器としての蒸発器及び送風機を設置し、商品加熱用の収納庫内には、商品収納用のコラムと、温度調節器としてのヒータ及び送風機、ダクトをそれぞれ設置し、これらを温度制御装置によって制御するものが知られている。
【０００３】
以下に図１乃至図３を参照して、従来の自動販売機を説明する。図１は自動販売機の横断面図である。同図において、自動販売機本体１には、複数の商品収納庫２ａ、２ｂが、断熱壁３で仕切られることによって形成されている。それぞれの商品収納庫２ａ、２ｂには複数の商品収納コラム４が収納されており、商品収納コラム４の下部には商品搬出プレート５が取り付けられている。また、自動販売機本体１の下部に形成された機械室６には、圧縮機７、凝縮機８等からなる冷却回路が収納される。前記冷却回路と接続された蒸発器９と送風機１０およびダクト１１、冷却用サーモスタット２０が収納された商品収納庫２ａは冷却庫として機能し、ヒータ１２と送風機１３およびダクト１４、加熱用サーモスタット２１が収納された商品収納庫２ｂは加熱庫として機能する。
【０００４】
図２は、商品収納庫の容積を可動断熱仕切壁１５の移動によって、可変とすることが可能な自動販売機である。商品収納庫２ａ、２ｂは可動断熱仕切壁１５によって任意の容積に分割され、冷却回路の蒸発器９と送風機１０が配された商品収納庫は冷却庫２ａとして、ヒータ１２と送風機１３が配された商品収納庫は加熱庫２ｂとして機能する。また、自動販売機本体１の下部に形成された機械室６には圧縮機７、凝縮器８等が収納され、蒸発器９とともに冷却回路を形成している。
【０００５】
図３は、商品収納庫２の全体を冷却庫または加熱庫とした場合を示している。商品収納庫２を冷却庫として使用する時は、蒸発器９と送風機１０を運転し、ヒータ１２と送風機１３の運転は行わない。また、商品収納庫２を加熱庫として使用する時は、ヒータ１２と送風機１３を運転し、蒸発器９と送風機１０の運転を行わないことによって、商品収納庫２の全体を冷却庫または加熱庫として機能させるようになっている。
【０００６】
【発明が解決しようとする課題】
しかしながら、前記商品収納庫２を冷却あるいは加熱運転するにあたっては、蒸発器９とヒータ１２の運転切り替え、あるいは冷却庫、加熱庫の容積の変更を行った場合においても、蒸発器９やヒータ１２の能力は一定であり、また送風機１０、１３の風量も変更前と変わらず常に一定であるために、前記冷却庫、加熱庫の大きさによっては、能力過剰あるいは能力不足となり、販売される商品の温度にばらつきが生じていたとともに、無駄な電力を消費していた。
【０００７】
また、商品収納庫２の全体を冷却する場合には、冷却回路を運転し、蒸発器９によって生成された冷風を蒸発器９の近傍に設けた送風機１０によって商品収納庫２内に循環させている。そして、商品収納庫２の全体を加熱する場合には、ヒータ１２に通電し、温風をヒータ１２の近傍に設けた送風機１３によって商品収納庫２内に循環させている。
【０００８】
ここで、商品収納庫２の全体を冷却あるいは加熱する場合、冷却時には蒸発器９の近傍に設けた送風機１０のみを運転し、加熱時にはヒータ１２の近傍に設けた送風機１３のみを運転させているので、冷・温風を庫内に均一に循環させることが困難であり、販売される商品の温度にばらつきが生じていた。
【０００９】
さらに、商品収納コラム４の下部には、商品搬出プレート５がそれぞれ取り付けられているため、前記商品搬出プレート５が空気の庫内循環の妨げとなり、商品が設定温度に冷却あるいは加熱されるまでに時間がかかり、無駄な電力を消費していたとともに、商品の温度にもばらつきが生じていた。
【００１０】
【課題を解決するための手段】
前記課題を解決するために、請求項１の発明では、商品収納庫内を冷却する冷却用温度調節器と、商品収納庫内を加熱するヒータと、冷却用温度調節器によって冷却された空気又はヒータによって加熱された空気を商品収納庫内に循環させる送風機と、商品収納庫内を複数の商品収納庫に分割する可動仕切壁とを備え、可動仕切壁を移動することにより各商品収納庫の庫内容積を変更可能に構成した自動販売機において、前記ヒータへの通電時間を設定するタイマーと、可動仕切壁によって加熱用の商品収納庫の庫内容積が小さく変更されたときはタイマーによるヒータへの通電時間を短く設定し、庫内容積が大きく変更されたときは前記通電時間を長く設定する制御手段とを備えている。
【００１１】
また、請求項２の発明では、商品収納庫内を冷却する冷却用温度調節器と、商品収納庫内を加熱するヒータと、冷却用温度調節器によって冷却された空気又はヒータによって加熱された空気を商品収納庫内に循環させる送風機と、商品収納庫内を複数の商品収納庫に分割する可動仕切壁とを備え、可動仕切壁を移動することにより各商品収納庫の庫内容積を変更可能に構成した自動販売機において、前記ヒータへの通電量を減少させる半波整流回路と、可動仕切壁によって加熱用の商品収納庫の庫内容積が小さく変更されたときは半波整流回路によりヒータへの通電量が少なくなるように設定し、庫内容積が大きく変更されたときは半波整流回路を用いずに前記通電量が多くなるように設定する制御手段とを備えている。
【００１２】
また、請求項３の発明では、商品収納庫内を冷却する冷却用温度調節器と、商品収納庫内を加熱するヒータと、冷却用温度調節器によって冷却された空気又はヒータによって加熱された空気を商品収納庫内に循環させる送風機と、商品収納庫内を複数の商品収納庫に分割する可動仕切壁とを備え、可動仕切壁を移動することにより各商品収納庫の庫内容積を変更可能に構成した自動販売機において、前記可動仕切壁によって加熱用の商品収納庫の庫内容積が小さく変更されたときは送風機の回転数を低速に設定し、庫内容積が大きく変更されたときは前記回転数を高速に設定する制御手段とを備えている。
【００１３】
【作用】
請求項１の自動販売機によれば、庫内容積の変更に応じて、加熱用ヒータへの通電時間をタイマーを用いて変化させることにより、冷却用又は加熱用商品収納庫の容積が変更された場合でも、加熱用ヒータへの通電時間を変化させることによって、商品収納庫に収納された商品は所定の温度に保持されるとともに、消費電力も低減される。
【００１４】
請求項２の自動販売機によれば、庫内容積の変更に応じて、加熱用ヒータへの通電量を半波整流回路を用いて変化させることにより、冷却用又は加熱用商品収納庫の容積が変更された場合でも、商品収納庫に収納された商品は所定の温度に保持されるとともに、消費電力も低減される。
【００１５】
請求項３の自動販売機によれば、庫内容積の変更に応じて、送風機の回転数を変化させることにより、庫内容積が増えた場合には、送風機を高速回転で、庫内容積が減り熱負荷が小さくなった場合には、送風機を低速回転で運転することによって、消費電力が低減される。
【００１６】
【実施例】
図４乃至図１１は本発明の実施例を示したもので、図４は自動販売機の正面断面図である。
【００１７】
自動販売機本体１は、断熱壁３で囲まれた商品収納庫２内に、複数の商品収納コラム４が収納されている。また、商品収納庫２の下部左端には、商品収納庫２内を冷却するための温度調節器としての蒸発器９と、空気循環用の送風機１０及びダクト１１、サーモスタット２０が、さらに下部右端には、商品収納庫２内を加熱するための温度調節器としてのヒータ１２と、空気循環用の送風機１３及びダクト１４、サーモスタット２１が収容されている。蒸発器９は、商品収納庫２の下部に設けられた機械室６に収納された圧縮機７、凝縮器８等と共に冷却回路を形成している。
【００１８】
商品収納庫２の全体を冷却庫として使用する場合には、圧縮機７、凝縮器８等からなる冷却回路を運転するとともに、図５に示す制御部１８からの信号によって送風機１０と送風機１３の双方を運転する。この場合にはヒータ１２には通電せず、送風機１３のみを通常とは逆回転で運転する。即ち、庫内空気は２台の送風機１０、１３によって図中実線の矢印で示した方向に循環する。また、商品収納庫２の全体を加熱庫として使用する場合には、ヒータ１２に通電するとともに、制御部１８からの信号によって送風機１３と、送風機１０の双方を運転する。この場合には冷却回路の運転は行わず、送風機１０のみを通常とは逆回転で運転することにより、庫内空気は２台の送風機１０、１３によって図中点線の矢印で示した方向に循環する。
【００１９】
次にタイマーを用いたヒータの制御について、図６乃至図８を参照して説明する。図６に示す自動販売機本体１の商品収納庫２は、可動断熱仕切壁１５を移動することによって、冷却庫２ａと加熱庫２ｂの容積を変更可能であり、図６は前記可動断熱仕切壁１５を移動させて、加熱庫２ｂの容積を小さくした場合を示している。この場合には、ヒータ１２への通電時間を図８に示したタイマー１６にて短く設定する。また、図６の自動販売機において可動断熱仕切壁１５を移動し、加熱庫２ｂの容積を大きくした場合には、ヒータ１２への通電時間をタイマー１６にて長く設定する。図７ａ、ｂはタイマーにて、ヒータを制御する場合を示した図であり、図７ａは加熱庫２ｂの容積を大きくした場合を、図７ｂは加熱庫２ｂの容積を小さくした場合をそれぞれ示している。このようにして、加熱庫２ｂとして利用する商品収納庫の容積に応じて、ヒータ１２への通電時間を制御することにより、商品を一定の温度に保持しながら、消費電力の低減を図ることができる。
【００２０】
次に、半波整流回路を用いたヒータの制御について図６、図９乃至図１０を参照して説明する。図６の自動販売機において、商品収納庫２は可動断熱仕切壁１５により、冷却庫２ａと加熱庫２ｂの容積の割合が変更可能となっている。前記可動断熱仕切壁１５を移動させて加熱庫２ｂの容積を小さくした場合には、ヒータ１２への通電量を図９に示す半波整流回路１７によって少なく設定し、ヒータ１２の出力を小さくして運転する。また、加熱庫２ｂの容積を大きくした場合には、ヒータ１２への通電を半波整流回路１７を介さずに行ない、その通電量を多くし、ヒータ１２の出力を大きくして運転する。図１０は半波整流回路１７によってヒータ１２を制御する場合を示した図である。このように加熱庫２ｂの容積に応じてヒータ１２への通電量を制御することによって、商品を一定の温度に保持しながら、消費電力の低減を図ることができる。
【００２１】
次に、図５、６及び図１１を参照して説明する。図６は商品収納庫２の冷却庫２ａと加熱庫２ｂの容積の割合を冷却庫２ａを大とし、加熱庫２ｂを小とした場合を示している。冷却庫２ａにおいては、蒸発器９を運転するとともに、図５に示す制御部１８からの信号によって、送風機１０の回転数制御が行われる。図１１は庫内温度の経過を示したもので、縦軸は庫内温度ＴＭを示し、横軸は時間Ｔを示している。送風機１０の回転数を制御するにあたっては、ＴＭ(Tm1)／Ｔ(t1)を傾きとするｆ1(x)及びＴＭ(Tm2)／Ｔ(t2)を傾きとするｆ2(x)を基準とし、ＴＭ／Ｔ＞ｆ1(x)の場合、例えば傾きがＡであれば送風機１０は高速で運転される。そして、ｆ1(x)≧ＴＭ／Ｔ≧ｆ2(x)の場合、例えば傾きがＢであれば送風機１０は中速で運転され、ＴＭ／Ｔ＜ｆ2(x)の場合、例えば傾きがＣであれば送風機１０は低速で運転される。また、加熱庫２ｂを加熱する場合にも同様の制御を行うことにより、商品収納庫の広さに応じた冷却・加熱運転を行うことが可能であり、消費電力を低減することができる。
【００２２】
【発明の効果】
以上説明したように、請求項１の自動販売機によれば、庫内容積の変更に応じて、加熱用ヒータへの通電時間がタイマーを用いて制御されるので、冷却用または加熱用商品収納庫の容積が変更された場合でも、商品収納庫内に収納された商品は所定の温度に保持され、商品の温度にばらつきがなくなるとともに、消費電力の低減を図ることができる。
【００２３】
請求項２の自動販売機によれば、庫内容積の変更に応じて加熱用ヒータへの通電量が半波整流回路を用いて制御されるので、冷却用または加熱用商品収納庫の容積が変更された場合でも、商品収納庫内に収納された商品は所定の温度に保持され、商品の温度にばらつきがなくなるとともに、消費電力の低減を図ることができる。
【００２４】
請求項３の自動販売機によれば、庫内容積の変更に応じて送風機の回転数が制御されるので、庫内容積に応じた最適な回転数で送風機を運転することができ、消費電力の低減を図ることができる。
【図面の簡単な説明】
【図１】  従来例を示す自動販売機の正面断面図
【図２】  従来例を示す自動販売機の正面断面図
【図３】  従来例を示す自動販売機の正面断面図
【図４】  本発明の一実施例を示す自動販売機の正面断面図
【図５】  本発明の一実施例を示す自動販売機のブロック図
【図６】  本発明の一実施例を示す自動販売機の正面断面図
【図７】  本発明の一実施例を示すチャート図
【図８】  本発明の一実施例を示す自動販売機のブロック図
【図９】  本発明の一実施例を示す自動販売機のブロック図
【図１０】  本発明の一実施例を示すチャート図
【図１１】  本発明の一実施例を示す送風機の制御パターン図
【符号の説明】
１…自動販売機本体、２…商品収納庫、２ａ…冷却庫、２ｂ…加熱庫、３…断熱壁、４…商品収納コラム、５…商品搬出プレート、６…機械室、７…圧縮機、８…凝縮器、９…蒸発器、１０、１３…送風機、１１、１４…ダクト、１２…ヒータ、１５…可動断熱仕切壁、１６…タイマー、１７…半波整流回路、１８…制御部、１９…孔、２０、２１…サーモスタット。
【図１】
0003655660.tif 000002
【図２】
0003655660.tif 000003
【図３】
0003655660.tif 000004
【図４】
0003655660.tif 000005
【図５】
0003655660.tif 000006
【図６】
0003655660.tif 000007
【図７】
0003655660.tif 000008
【図８】
0003655660.tif 000009
【図９】
0003655660.tif 000010
【図１０】
0003655660.tif 000011
【図１１】
0003655660.tif 000012